(57)【要約】【課題】  配管端部内側を面取りでき、且つ、面取り作業の際に配管内に入り込んだ削り屑を手間をかけることなく容易かつ完全に取り除くことができる配管面取り具を提供する。【解決手段】  本配管面取り具１は、両端が開口した短筒体２と、短筒体２の一端部の内周面にその一端が固定され、他端が短筒体２の他端部の内側中心線上にある結着部６で放射状に結着した複数の外側縁に切刃７を有する刃板３と、結着部６に一端が固定され他端が刃板３と反対方向へ直線状に延出する細長なブラシ４と、を具備してなるものである。【選択図】      図１
2006192547.tif 000002
【特許請求の範囲】
【請求項１】
両端が開口した短筒体と、
該短筒体の一端部の内周面にその一端が固定され、他端が前記短筒体の他端部の内側中心線上にある結着部で放射状に結着した複数の外側縁に切刃を有する刃板と、
前記結着部に一端が固定され他端が前記刃板と反対方向へ直線状に延出する細長なブラシと、
を具備してなることを特徴とした配管面取り具。
【発明の詳細な説明】
【技術分野】
【０００１】
本発明は、配管工事において樹脂製の配管端部内側を面取りする際に使用される配管面取り具に関する。
【背景技術】
【０００２】
住宅等の建築物における給排水衛生設備工事には種々の配管工事が含まれる。そのうちの給水・給湯用の配管工事において、架橋ポリエチレン管等の樹脂製配管をヘッダー等の継手や水洗等の器具に接続することがある。その際、配管を塩ビカッター等により所望の長さに切断して継手や器具に接続するが、継手や器具から配管に流入する、あるいは配管から継手や器具に流入する水の流れが乱れるのを抑制するために、接続前に配管端部内側を面取りする必要がある。
【０００３】
そこで、配管端部内側を面取りする際に使用する配管面取り具がある（例えば、特許文献１）。この配管面取り具は、放射方向に延び、且つ、軸心方向に傾斜した複数枚の刃板の内端を結着した刃板集合体を筒状の外框に配装したものであり、各刃板の両縁に切刃が設けられている。この配管面取り具によれば、切断された配管の端部を外框内に挿入すると刃板が傾斜しているためにそれらに設けられた切刃が配管端部内側に一様に当接するので、外框を周方向に回転することにより配管端部内側を面取りでき、加えて配管切断時に配管端部に生じたばりを除去できる。
【特許文献１】特開２００１−１７９５３７号公報
【発明の開示】
【発明が解決しようとする課題】
【０００４】
しかしながら、上記した配管面取り具を用いて配管端部内側を面取りした場合、面取り作業により発生した削り屑が配管内に入り込むことがあり、この削り屑が配管内に残ると、配管のつまりや継手部からの漏水等が生じることが懸念される。そこで、この削り屑を取り除くために、細い棒等を用いて配管内から掻き出していたが、樹脂製配管においては静電気により削り屑が配管に付着しており、取り除きにくく作業に手間がかかるという問題点があった。また、面取り作業時の配管の向きによっては配管の奥まで削り屑が入ってしまうこともあり、完全に取り除くのは困難であった。
【０００５】
本発明は、上記の課題に鑑みてなされたものであり、配管端部内側を面取りでき、且つ、面取り作業の際に配管内に入り込んだ削り屑を手間をかけることなく容易かつ完全に取り除くことができる配管面取り具を提供することを目的とする。
【課題を解決するための手段】
【０００６】
上記目的を達成するために、請求項１記載の配管面取り具は、両端が開口した短筒体と、該短筒体の一端部の内周面にその一端が固定され、他端が前記短筒体の他端部の内側中心線上にある結着部で放射状に結着した複数の外側縁に切刃を有する刃板と、前記結着部に一端が固定され他端が前記刃板と反対方向へ直線状に延出する細長なブラシと、を具備してなることを特徴としている。
【発明の効果】
【０００７】
請求項１記載の配管面取り具によれば、両端が開口した短筒体と、該短筒体の一端部の内周面にその一端が固定され、他端が前記短筒体の他端部の内側中心線上にある結着部で放射状に結着した複数の外側縁に切刃を有する刃板と、前記結着部に一端が固定され他端が前記刃板と反対方向へ直線状に延出する細長なブラシと、を具備しているので、刃板により配管端部内側を面取りでき、且つ、配管内に挿入されたブラシを引き出すことにより面取り作業で発生して配管内に入り込んだ削り屑を手間をかけずに容易に取り除くことができる。また、配管内に挿入されたブラシにより配管に蓋をした状態で面取り作業を行うため、削り屑が配管の奥まで入り込むことを防止でき、発生した削り屑を配管内から完全に取り除くことができる。
【発明を実施するための最良の形態】
【０００８】
以下、本発明の実施の形態に係る配管面取り具について図面に基づいて説明する。
図１及び図２は、本実施の形態に係る配管面取り具１の概略構成を示すものであるが、配管面取り具１は、図示するように、短筒体２、刃板３、及びブラシ４を主たる構成部材としている。
【０００９】
短筒体２は、両端が開口した短い筒状のものであり、材質は、合成樹脂、アルミ、スチール等が挙げられるが、軽量である方が取扱いが容易であり、好適である。短筒体２の全体の大きさは、片手で握りやすい程度の大きさとするのが好ましい。短筒体２の内径は、配管Ａの面取り作業が良好に行われるように、面取りを行う配管Ａの外径よりも十分に大きなものとする。また、短筒体２は、一端部に切り込み５が等間隔に６箇所設けられており、この切り込み５に刃板３の一端が嵌め込まれて固定される。
【００１０】
刃板３は、面取りする配管端部内側Ｂを切削するものであり、６枚の刃板３の一端がそれぞれ短筒体２の一端部に設けられた切り込み５に嵌め込まれて固定され、他端が短筒体２の内側中心線上で放射状に結着して結着部６を形成している。すなわち、刃板３は、相向かい合う２枚の刃板３を１組としてＶ字状に結着した状態となっている。刃板３の外側縁には、配管端部内側Ｂを切削する切刃７が設けられている。なお、刃板３は、切刃７を配管端部内側Ｂに当接させて短筒体２を周方向の一方向である回し切り方向に回転させた際に配管端部内側Ｂを切削しやすいように、短筒体２の軸方向に対して回し切り方向に向かって傾倒していてもよい。
【００１１】
ブラシ４は、面取り作業時に配管Ａ内に入り込んだ削り屑を掻き出すためのものであり、針金８と、毛９とから構成され、針金８に毛９が放射状に多数固定されて形成された細長なものである。このブラシ４は、刃板３が集まった結着部６に針金８が巻きつけられて一端が固定され、他端が刃板３と反対方向へ直線状に延出している。ブラシ４全体の長さは、特に限定されるものではないが、約１０ｃｍ程度のものが扱いやすく、好適である。ブラシ４の毛９の材質は、ポリプロピレン、ナイロン等の変形可能で配管Ａ内に容易に挿入しやすい材質とする。毛９の長さは、配管Ａの内径よりも十分に長く、且つ、配管Ａ内への挿入に支障がない程度のに短いものが好ましい。また、毛９の密度は、配管Ａ内への挿入に支障がない程度に高い方が配管端部内側Ｂを面取りする際に発生する削り屑が配管Ａの奥まで入り込むことを防ぐ蓋としての機能をより効果的に果たすことができ、好適である。
【００１２】
次に、上記のように構成された配管面取り具１により配管端部内側Ｂの面取りを行う場合について説明する。
【００１３】
まず、図３に示すように、ブラシ４先端を配管Ａの端部から配管Ａ内へ挿入するとともに、刃板３の切刃７が配管端部内側Ｂに当接するまで短筒体２を配管Ａ方向へ押し込む。次いで、切り刃７が配管端部内側Ｂに当接した状態で短筒体２を配管Ａ方向に押さえ付けながら周方向に回転させ、切刃７により配管端部内側Ｂを面取りする。この面取り作業により配管端部内側Ｂが切削され削り屑が発生するが、ブラシ４を配管Ａ内に挿入しているためブラシ４により配管Ａに蓋がされた状態となっており、面取り作業時に配管Ａがいかなる方向を向いていても発生した削り屑が配管Ａの奥まで入り込むことを防止できる。
【００１４】
面取り作業終了後、短筒体２を配管Ａから引き離して配管Ａからブラシ４を引き出す。このブラシ４を引き出すことによって面取り作業の際に配管Ａ内に入り込んだ削り屑をブラシ４が掻き出すため、別途削り屑を取り除く作業を行う手間を省くことができ、削り屑を配管Ａ内から容易に取り除くことができる。
【００１５】
以上の説明から明らかなように、本発明の実施の形態に係る配管面取り具１によれば、配管端部内側Ｂを面取りでき、且つ、面取り作業により発生して配管Ａ内に入り込んだ削り屑を手間をかけずに容易に取り除くことができる。また、配管Ａ内に挿入されたブラシ４により配管Ａに蓋をした状態で面取り作業を行うため、配管１０が上下いずれの方向を向いていたとしても削り屑が配管Ａの奥まで入り込むことを防止でき、削り屑を配管内から完全に取り除くことができる。また、静電気によって削り屑が配管１０の内側面に付着している場合でも、ブラシ４を配管１０より引き出す際に有効に除去排出できる。
【００１６】
なお、本発明は上記実施の形態に限定されるものではなく、本発明の要旨の範囲内で種々の変形実施が可能である。例えば、刃板３の枚数を６枚としたが、特にこの枚数に限定されるものではなく、配管端部内側Ｂを有効に面取りすることができる枚数であればよい。また、短筒体２は、一端部に切り込み５を有し、その切り込み５に刃板３の一端が嵌め込まれて固定されるものとしたが、刃板３の一端が短筒体２の一端部の内周面に固定されていればよく、特に短筒体２が切り込み５を有していなくてもよい。また、刃板３の内側縁にも切刃を設けて配管Ａを短筒体２のブラシ４が設けられていない下方側から挿入して、刃板３の内側縁に設けた切刃により配管端部外側を配管端部内側Ｂと同様に面取りできるようにしてもよい。
【産業上の利用可能性】
【００１７】
本発明は、配管工事において樹脂製の配管端部内側を面取りする場合に利用可能である。
【図面の簡単な説明】
【００１８】
【図１】本発明の実施の形態に係る配管面取り具の概略構成の一例を示す斜視図である。
【図２】本発明の実施の形態に係る配管面取り具の概略構成の一例を示す断面図である。
【図３】配管面取り具の使用態様を示す断面図である。
【符号の説明】
【００１９】
１    配管面取り具
２    短筒体
３    刃板
４    ブラシ
６    結着部
７    切刃
【図１】
2006192547.tif 000003
【図２】
2006192547.tif 000004
【図３】
2006192547.tif 000005